(57)【要約】【課題】  毛髪を巻き上げ操作することなく巻き上げることができると共に、筒状体等の保持体に毛髪を容易に配置することができる毛髪保持具を提供すること。【解決手段】  一端（一端の開口部）２１から他端（他端の開口部）２２に向けて毛髪束を配置させて保持可能に形成された保持体（筒状体）２からなり、前記保持体２は、所定の巻き上げ形状に巻き上がるようになされており且つ伸長状態を維持可能になされている。【選択図】  図１
2005168957.tif 000002
【特許請求の範囲】
【請求項１】
一端から他端に向けて毛髪束を配置させて保持可能に形成された保持体からなり、
前記保持体は、所定の巻き上げ形状に巻き上がるようになされており且つ伸長状態を維持可能になされている毛髪保持具。
【請求項２】
前記保持体が扁平な筒状体である請求項１記載の毛髪保持具。
【請求項３】
渦巻ばねが、前記筒状体に、伸長状態で該筒状体の長手方向に沿うように配されており、
前記渦巻ばねは、その幅方向断面を凸状に変形することにより伸長状態を維持可能になされており、
前記筒状体は、前記渦巻ばねの巻き上がりに伴い渦巻状に巻き上がり、且つ前記渦巻ばねの伸長状態の維持に伴い伸長状態を維持するようになされている請求項２記載の毛髪保持具。
【請求項４】
前記筒状体は、その一面を形成するシート及びその他面を形成するシートからなり、
前記一面を形成するシート又は前記他面を形成するシートは、渦巻状に巻き上がるようになされており、
巻き上がるようになされた前記シートは、その幅方向中央部に折り目又は切り込みが形成されており、該折り目又は該切り込みで折り曲げることにより伸長状態を維持可能になされている請求項２記載の毛髪保持具。
【請求項５】
前記保持体がシートである請求項１記載の毛髪保持具。
【請求項６】
前記シートには、毛髪束を挿通保持する幅方向の挿通孔が、複数個長手方向に離間して形成されており、
前記シートは、渦巻状に巻き上がるようになされ、その幅方向中央部に折り目又は切り込みが形成されており、該折り目又は該切り込みで折り曲げることにより伸長状態を維持可能になされている請求項５記載の毛髪保持具。
【請求項７】
巻き上がるようになされた前記シートにおける長手方向側縁部には、該シートとは別のシートが該長手方向側縁部を連設部として一体的に設けられており、
前記別のシートは、前記連設部で折曲することにより、巻き上がるようになされた前記シートに重ね合わせられるようになされている請求項６記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１及び特許文献２には、本出願人による「ロール状の巻上げ状態で保持されるようにくせ付けされた筒状体からなる毛髪保持具」が記載されている。この毛髪保持具は、筒状体をその長手方向に引伸状態にしてその状態から解放すると、ロール状の巻上げ状態へと自発的に巻き上げられるものである。
この毛髪保持具によれば、引伸状態の筒状体内に毛髪を挿入した後、筒状体の引伸状態を開放すれば、筒状体内に挿入された毛髪を、巻き上げ操作することなく容易に巻き上げることができる。
【０００３】
【特許文献１】特開２００３−３３２１６号公報
【特許文献２】国際公開第０３／００７７５２号パンフレット
【発明の開示】
【発明が解決しようとする課題】
【０００４】
しかし、前記毛髪保持具においては、引伸状態の筒状体において、巻き上げ方向の力が加わっているため、筒状体内へ毛髪を挿入、配置するのが容易ではない。
【０００５】
従って、本発明の目的は、毛髪を巻き上げ操作することなく巻き上げることができると共に、筒状体等の保持体に毛髪を容易に配置することができる毛髪保持具を提供することにある。
【課題を解決するための手段】
【０００６】
本発明は、一端から他端に向けて毛髪束を配置させて保持可能に形成された保持体からなり、前記保持体は、所定の巻き上げ形状に巻き上がるようになされており且つ伸長状態を維持可能になされている毛髪保持具を提供することにより、上記目的を達成したものである。
【発明の効果】
【０００７】
本発明の毛髪保持具によれば、毛髪を巻き上げ操作することなく巻き上げることができると共に、筒状体等の保持体に毛髪を容易に配置することができる。
【発明を実施するための最良の形態】
【０００８】
以下、本発明の毛髪保持具を、その好ましい一実施形態である第１実施形態について、図１及び図２を参照して説明する。
本実施形態の毛髪保持具１は、図１及び図２に示すように、一端から他端に向けて毛髪束Ｈ（図３参照）を配置させて保持可能に形成された保持体２からなり、前記保持体２は、所定の巻き上げ形状に巻き上がるようになされており且つ伸長状態を維持可能になされている。詳細には、保持体２は、一端の開口部２１から他端の開口部２２に向けて毛髪束Ｈを挿通可能にシート３，４により構成された扁平な筒状体からなる。
【０００９】
本実施形態の毛髪保持具１について詳述する。本実施形態の毛髪保持具１における筒状体２は、図１に示すように、一面を形成するシート（以下「一面シート」ともいう）３及び他面を形成するシート（以下「他面シート」ともいう）４からなる。両シート３，４は、帯状シートであり、その両側端部同士が接着されて、扁平の筒状体２を形成している。
筒状体２の大きさは、毛髪の長さやくせ付けしたい場所、挿入する毛髪束の量に応じて適宜選択される。
【００１０】
筒状体２を形成するシートとしては、各種可撓性材料が用いられ、例えば、不織布、織物、編み物、多孔性又は非多孔性の樹脂フィルム、紙、樹脂ネット、又はこれらの複合体等が挙げられる。本実施形態においては、渦巻ばね（後述）による巻き上げ力を阻害しないように低剛性の不織布が用いられている。
シートの厚みは、特に限定されないが、好ましくは５μｍ〜５００μｍである。
【００１１】
筒状体２の一面シート３における内面の幅方向中央部には、図１（ｂ）に示すように、扁平筒状の筒状袋部６が筒状体２の長手方向に延びるように設けられている。筒状袋部６は、一面シート３の内面と、該内面に設けられた内面シート６１とから形成されている。筒状袋部６は、渦巻ばね５（後述）を収納し得る形状を有しており、渦巻ばね５が筒状袋部６内部で長手方向に移動自在に保持できる形状を有していることが好ましい。また、筒状袋部６の長手方向両端部は封止されており、渦巻ばね５が脱落しないようになっている。
【００１２】
本実施形態の毛髪保持具１においては、図１に示すように、渦巻ばね５が、前記筒状袋部６に収納されて、筒状体２に、伸長状態で該筒状体２の長手方向に沿うように配されている。
渦巻ばね５は、図２（ｃ）に示すようにその断面が直線状になっているときは、図２（ｄ）に示すように、その上面５１を内側にして渦巻状（ロール状）に巻き上がるようになされている。一方、渦巻ばね５は、図２（ｄ）に示す渦巻状から図２（ａ）に示す伸長状態に伸長させ、その状態でその幅方向断面を、図２（ｂ）に示すようにその巻き上げ方向とは反対方向に向けて凸状（下面５２から上面５１に向けた凸状）に変形することにより、渦巻状に巻き上がろうとする渦巻ばね５を拘束し、伸長状態を維持可能になされている。更に、渦巻ばね５は、伸長状態を維持している状態において、その断面を図２（ｃ）に示すように直線状に変形することにより、渦巻ばね５に対する拘束を開放し、図２（ｄ）に示すように再度渦巻状に巻き上がるようになされている。
【００１３】
このような特性を有する渦巻ばね５は、例えば、１枚の板に前述の２種類のくせ付けを施すことにより得ることができ、また、１種類のくせ付けを施した２枚以上の板を積層して得ることもできる。
渦巻ばね５としては、渦巻状に巻き上がるようになされており、伸長状態にしてからその幅方向断面を凸状に変形することにより伸長状態を維持可能になされているものであれば、各種材料を用いることができ、例えば、金属ばね、樹脂ばね等が挙げられる。本実施形態においては、渦巻状への巻き上げ力の強さ、耐久性等を考慮し、金属ばねを用いている。ばねは腐食防止の目的で樹脂によってコーティングされていても良い。
【００１４】
渦巻ばね５の長さは、筒状体２の滑らかな巻き上げ形状を得る上で、筒状体２の長さの８０％以上であることが好ましい。
本実施形態の毛髪保持具１においては、渦巻ばね５が筒状体２に前述した構成で設けられているため、筒状体２は、渦巻ばね５の巻き上がりに伴い所定の巻き上げ形状（本実施形態では渦巻状）に巻き上がり、且つ渦巻ばね５の伸長状態の維持に伴い伸長状態を維持するようになされている。
渦巻ばね５の巻き上げ力は、毛髪束を挿入した状態の筒状体２に対し巻き上げ操作をしなくても巻き上げ可能な大きさが必要であり、筒状体２を形成するシートの剛性、長さ、幅、毛髪の長さやくせ付けしたい場所、挿入する毛髪束の量等に応じて適宜選択される。
本発明において巻き上げとは、毛髪に所定のくせ付けをすること全般を意味し、本来の巻き上げに加えて例えば湾曲や屈曲なども包含される。
【００１５】
次に、本発明の毛髪保持具の第１実施形態の一使用態様として、パーマ処理により毛髪（頭髪）に直接カールを付与する場合について、図３を参照しながら説明する。
毛髪束Ｈの量や得ようとするカール形状に応じて、適当な長さ及び幅を有する筒状体２からなる毛髪保持具１を用いる。
筒状体２が図１（ｃ）に示す巻き上げ状態になっているときは、筒状体２を渦巻ばね５と共に伸長し、その状態で筒状袋部６内の渦巻ばね５を、その幅方向断面が図２（ｂ）に示す巻き上げ方向とは反対方向の凸状となるように変形させる。これにより、渦巻ばね５の伸長状態が維持されて、筒状体２は伸長状態が維持される。
【００１６】
次に、図３（ａ）に示すように、筒状体２の一端の開口部２１を楕円形状に開口して、該開口部２１から毛髪束Ｈを挿入する。そして、毛髪束Ｈを、その先端が筒状体２の他端の開口部２２から少しはみ出るまで、筒状体２に挿通させる。
【００１７】
毛髪束Ｈを筒状体２に挿通させた後、筒状体２の一端の開口部２１近傍を把持した状態で、筒状袋部６内の渦巻ばね５の幅方向断面を、図２（ｃ）に示す直線状に変形し、渦巻ばね５の巻き上げに対する拘束を開放する。これにより、筒状体２は、図３（ｃ）及び（ｄ）に示すように、渦巻ばね５の巻き上げ力により、筒状体２の巻き上げ操作をしなくても、筒状体２の他端の開口部２２の側から、所望の巻回径で巻回されてゆく。しかも、ロッドを用いる必要もない。
【００１８】
その後、筒状体２の外側からパーマ用の毛髪処理剤を毛髪束Ｈに付与する。所定時間後、筒状体２から毛髪束Ｈを挿脱し、洗髪等して、パーマ処理を完了する。
尚、筒状体２の開口部２１から毛髪束Ｈを挿入させる際に、必要に応じ、該開口部２１を真円状に開口した方が、毛髪束Ｈをスムーズに挿入させ易い。また、必ずしも、毛髪束Ｈの先端を筒状体２の他端の開口部２２からはみ出させる必要はない。
【００１９】
本実施形態の毛髪保持具１によれば、渦巻ばね５による巻き上げ力により、巻き上げ操作をしなくても、毛髪束Ｈが挿通された筒状体２を巻き上げることができる。また、渦巻ばね５の幅方向断面を巻き上げ方向とは反対方向に凸状に変形させることにより、渦巻ばね５の巻き上げ力を拘束することができ、そのため、渦巻ばね５の伸長状態、即ち筒状体２の伸長状態を容易に維持することができ、筒状体２の一端の開口部２１からの毛髪束Ｈの挿入も容易である。
【００２０】
また、仮に渦巻ばね５が筒状体２を形成するシート３，４に対し移動できない構成であると、筒状体２が巻回された際に、筒状体２の内外径差の影響により渦巻ばね５の巻き上げ力に対する反力が生じるが、本実施形態の毛髪保持具１においては、渦巻ばね５が筒状体２を形成するシート３，４に対し移動自在になっており、両者の相対位置のズレが生じるため、斯る反力が生じることがない。
従って、本実施形態の毛髪保持具１によれば、筒状体２内に挿入された毛髪Ｈを巻き上げ操作することなく巻き上げることができると共に、筒状体２内へ毛髪Ｈを容易に挿入することができる
【００２１】
次に、本発明の毛髪保持具の第２実施形態について説明する。第２実施形態については、第１実施形態と異なる点についてのみ説明し、特に説明しない点については、第１実施形態に関する説明が適宜適用される。
【００２２】
第２実施形態の毛髪保持具１においては、図４に示すように、筒状体２は、その一面を形成するシート（以下「一面シート」ともいう）３’及びその他面を形成するシート（以下「他面シート」ともいう）４’からなり、一面シート３は、図４（ｃ）に示すように渦巻状に巻き上がるようになされており、巻き上がるようになされた一面シート３は、その幅方向中央部に折り目３１が形成されており、図４（ｂ）に示すように該折り目３１で折り曲げることにより伸長状態を維持可能になされている。
【００２３】
一面シート３’は、他面シート４’よりも充分に高い剛性を有する材料から形成されており、渦巻状に巻き上がるようになされている。
一面シート３’には、その幅方向中央部にその長手方向全長に亘って折り目３１が形成されている。そのため、一面シート３’を伸長した状態で、図４（ｂ）に示すように該折り目３１に沿って幅方向断面を巻き上げ方向とは反対に凸状に折り曲げると、一面シート３’の巻き上げ力が拘束され、図４（ａ）に示すように一面シート３’の伸長状態が維持できるようになっている。
渦巻状に巻き上がるシートとしては、ポリアクリロニトリル、ポリスチレン、ポリエチレンテレフタレート、ナイロン、ポリプロピレン、ポリ塩化ビニル、ポリカーボネート等で形成されたシートが挙げられる。
【００２４】
他面シート４’は、剛性が比較的低い材料から形成されており、内外の径差に起因するひずみを解消するために、図４（ａ）に示すように、シート幅方向に延びるスリット４１がシート長手方向に離間して多数形成されている。
一面シート３’と他面シート４’とは、一面シート３’が他面シート４’とは反対側を内側にして巻き上がるように〔図４（ｃ）参照〕、両シート３’，４’の両側縁部で接合され、筒状体２を形成している。
このように、第２実施形態においては、筒状体２の一面を形成するシート３’自体が渦巻状に巻き上がるようになされていることにより、第１実施形態のように筒状体を形成するシートとは別体の弦巻ばねを備えていなくても、筒状体２が巻き上がるようになっている。
【００２５】
第２実施形態の毛髪保持具１においては、筒状体２を伸長し、その状態で図４（ｂ）に示すように一面シート３’の幅方向断面を巻き上げ方向とは反対方向に折り目３１で折り曲げることにより、図４（ａ）に示すように、筒状体２の伸長状態を維持することができる。また、図４（ｄ）に示すように幅方向断面を直線状に変形すると、一面シート３’の巻き上げ力に対する拘束が開放され、一面シート３’の巻き上げ力により、図４（ｃ）に示すように筒状体２全体が巻き上がる。
このように、第２実施形態の毛髪保持具１は、第１実施形態と同様の、筒状体の巻き上げ及び伸長に関する特性を有しているため、第２実施形態の毛髪保持具１においても、第１実施形態と同様に、筒状体２内に挿入された毛髪を巻き上げ操作することなく巻き上げることができると共に、筒状体２内へ毛髪を容易に挿入することができる。
【００２６】
前述した実施形態においては、保持体が扁平な筒状体から構成されているが、本発明の毛髪保持具における保持体は、シートから構成されていてもよい。
第３実施形態の毛髪保持具１においては、図５（ａ）に示すように、保持体２が１枚のシート３”からなる。
シート３”には、毛髪束Ｈを挿通保持する幅方向の挿通孔３２が、複数個（本実施形態では６個）長手方向に離間して形成されている。挿通孔３２は、幅方向に延びる楕円形状を有している。挿通孔の形状は、毛髪束を挿通できれば、矩形状、スリット状等でもよい。また、シート３”は、渦巻状に巻き上がるようになされ、図５（ｂ）に示すように、その幅方向中央部に折り目３１が形成されており、該折り目３１で折り曲げることにより伸長状態を維持可能になされている。即ち、第３実施形態におけるシート３”は、挿通孔３２が形成されている以外は、図４に示す第２実施形態における一面シート３’と実質的に同じ構成からなる。
【００２７】
第３実施形態の毛髪保持具によれば、シート３”を伸長し、その状態で図５（ｂ）に示すようにシート３”の幅方向断面を巻き上げ方向とは反対方向に折り目３１で折り曲げることにより、図５（ａ）に示すように、シート３”の伸長状態を維持することができる。この状態で、図５（ｃ）に示すように、毛髪束Ｈを、シート３”における表面及び裏面に順次配するように挿通孔３２に順次挿通することができる。このようにして、毛髪束Ｈをシート３”の一端から他端に向けて配置させて保持できる。毛髪束Ｈの挿通孔３２への挿入の際には、略棒状の毛髪挿入具を用いると、かかる挿通が容易である。
【００２８】
そして、シート３”の幅方向断面を直線状に変形すると、シート３”の巻き上げ力に対する拘束が開放され、シート３”の巻き上げ力により、シート３”が毛髪束Ｈと共に巻き上がる。
このように、第３実施形態の毛髪保持具においても、毛髪を巻き上げ操作することなく巻き上げることができると共に、保持体であるシート３”に毛髪を容易に配置することができる。
【００２９】
保持体がシートからなる毛髪保持具においては、更に別のシートが設けられていてもよい。
第４実施形態の毛髪保持具１は、図６（ａ）に示すように、巻き上がるようになされた前記シート３”における長手方向側縁部に、該シート３”とは別のシート４”が該長手方向側縁部を連設部３３として一体的に設けられている。別のシート４”は、図６（ｂ）に示すように、連設部３３で折曲することにより、巻き上がるようになされた前記シート３”に重ね合わせられるようになされている。
即ち、第４実施形態の毛髪保持具における保持体２は、図５に示す第３実施形態における、巻き上がるようになされたシートと実質的に同じシート３”（挿通孔の個数が異なる）の長手方向側縁部に、別のシート４”が一体的に設けられて構成されている。
【００３０】
第４実施形態の毛髪保持具によれば、第３実施形態の毛髪保持具と同様に、図６（ｂ）に示すように、毛髪束Ｈを複数個の挿通孔３２に順次挿通することができる。更に、この状態で別のシート４”を連設部３３で折曲することにより、該別のシート４”をシート３”に重ねることができ、この状態で、シート３”の幅方向断面を直線状に変形すると、シート３”及び４”がシート３”を内側にして、毛髪束Ｈと共に巻き上がる。
第４実施形態の毛髪保持具においては、第３実施形態の毛髪保持具に比して、別のシート４”が設けられているため、毛髪束Ｈをシート３”とシート４”とで挟んだ状態で巻き上げることができ、また巻き上げ時において毛髪束Ｈ同士が接触せず、良好なくせ付けをすることができる。
【００３１】
本発明の毛髪保持具は、前述した実施形態に制限されることなく、本発明の趣旨を逸脱しない限り、以下に示すように適宜変更が可能である。
保持体の巻き上げ形態は、前記実施形態のような渦巻ばね状に制限されず、目的に応じ、蛇腹状、ジグザグ状、スパイラル状などの種々の形態とすることができる。
筒状体２は、その形成方法について特に制限はなく、シートを縫合、融着又は接着して形成したものでも、押出成形等により当初から扁平筒状に形成したものでもよい。
【００３２】
シートに巻き上げ力を付与するには、第１実施形態のようにシートとは別体の渦巻ばねを用いてもよく、第２〜第４実施形態のようにシート自体が巻き上がるものを用いてもよい。
第１、第２及び第４実施形態においては、巻き上げ状態における内側のシートが巻き上がるように構成されているが、本発明においては、巻き上げ状態における外側のシートが巻き上がるように構成することができ、内側のシート及び外側のシートの両方が巻き上がるように構成することもできる。
【００３３】
渦巻ばねは、筒状体の他面を形成するシートのみに配することができ、筒状体の一面を形成するシート及び他面を形成するシートの両方に配することができる。渦巻ばねは、シートに複数本配することもできる。渦巻ばねの配置方向は、筒状体の長手方向に平行でもよく、斜行でもよい。渦巻ばねの配置箇所は、第１実施形態のように、筒状体の内表面側でもよく、筒状体の外表面側でもよい。渦巻ばねを筒状体を形成するシートに完全に固定してもよい。
【００３４】
筒状体に設けられた筒状袋部に渦巻ばねを収納した形態においては、渦巻ばねを筒状体に一点留めした構成とすることができる。
渦巻状に巻き上がるシートにおいては、それを折り曲げる構成として、第２〜第４実施形態に示す折り目に代えて、切り込みを設けることもできる。
筒状体の他端の開口部にチャックを設け、該開口部を閉塞可能な構造とすることもできる。
本発明の毛髪保持具における「扁平な筒状体」においては、全体として扁平形状と同視できれば、それを形成するシートの表面に凹凸が形成されていてもよい。
本発明の毛髪保持具における保持体を形成する「シート」は、一端から他端に向けて毛髪束を配置させて保持可能に形成されていれば、複数個の挿通孔を設けた構成に制限されない。
【００３５】
筒状体が不液透過性のシートから構成されている毛髪保持具を用いてパーマ処理をする場合には、パーマ用の毛髪処理剤を筒状体の開口部から注入すればよい。更に、筒状体の他端の開口部がチャックで閉蓋可能なものを用いる場合には、一端の開口部から注入された毛髪処理剤が筒状体の内部に溜まり、その外に漏れないようにすることができ、毛髪処理剤の使用量を削減し、毛髪処理剤が不必要に毛髪に付着することを防止できる。
【００３６】
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
【図面の簡単な説明】
【００３７】
【図１】図１は、本発明の毛髪保持具の第１実施形態を示す図で、（ａ）は伸長状態の正面図、（ｂ）は（ａ）に示すＢ−Ｂ断面図、（ｃ）は巻回状態の斜視図である。
【図２】図２は、図１に示す毛髪保持具における渦巻ばねを示す図で、（ａ）は伸長状態の正面図、（ｂ）は（ａ）に示すＢ−Ｂ断面、（ｃ）は（ｂ）に示す断面を変形した状態を示す図、（ｄ）は巻回状態の側面図である。
【図３】図３は、第１実施形態の毛髪保持具の一使用態様を示す図で、（ａ）、（ｂ）、（ｃ）及び（ｄ）は、それぞれ毛髪束の巻回手順を順次示す斜視図である。
【図４】図４は、本発明の毛髪保持具の第２実施形態を示す図で、（ａ）は伸長状態の正面斜視図、（ｂ）は（ａ）に示すＢ−Ｂ断面図、（ｃ）は巻回状態の斜視図、（ｄ）は（ｃ）に示すＤ−Ｄ断面図である。
【図５】図５は、本発明の毛髪保持具の第３実施形態を示す図で、（ａ）は正面図、（ｂ）は（ａ）に示すＢ−Ｂ断面図、（ｃ）は毛髪束を保持した状態を示す図である。
【図６】図６は、本発明の毛髪保持具の第４実施形態を示す図で、（ａ）は正面図、（ｂ）は毛髪束を保持した状態を示す図である。
【符号の説明】
【００３８】
１  毛髪保持具
２  筒状体（保持体）
２１、２２  開口部
３  一面を形成するシート
４  他面を形成するシート
５  渦巻ばね
６  筒状袋部
Ｈ  毛髪束
【図１】
2005168957.tif 000003
【図２】
2005168957.tif 000004
【図３】
2005168957.tif 000005
【図４】
2005168957.tif 000006
【図５】
2005168957.tif 000007
【図６】
2005168957.tif 000008